(57)【要約】【課題】封止するだけでなく、開封しやすい、改善された開封システムを提供すること。【解決手段】外部と内部とを有する梱包材を備える容器のための開封システム。射出成形された開封部材は、第1のポイントにおいて梱包材の内部に取り付けられ、梱包材の内部から梱包材の外部へ延びる。また、射出成形された開封部材は、第2のポイントにおいて梱包材の外部に取り付けられるとともに、容器を開封するために第2のポイントからある距離にわたって延びる。【選択図】図1
2018087042.tif 000002
【特許請求の範囲】
【請求項１】
−  外部と内部とを有する梱包材と、
−  射出成形された開封部材であって、前記射出成形された開封部材が、第１のポイントにおいて前記梱包材の内部に取り付けられるとともに、前記梱包材の内部から前記梱包材の外部へ延びる、射出成形された開封部材と、
を備え、前記射出成形された開封部材が、第２のポイントにおいて前記梱包材の外部に取り付けられるとともに、容器を開封するために前記第２のポイントからある距離にわたって延びる、容器のための開封システム。
【請求項２】
前記梱包材（１）が、紙、ボール紙、および／またはプラスチックからつくられた請求項１に記載の開封システム。
【請求項３】
前記梱包材が、前記梱包材を貫通する事前形成された開口を備える請求項１または２に記載の開封システム。
【請求項４】
前記射出成形された開封部材は、前記開封部材が前記梱包材の内部へと通り抜ける第２のポイントから前記梱包材の外部に対して平行に取り付けられる請求項１から３のいずれか一項に記載の開封システム。
【請求項５】
前記射出成形された開封部材が、前記梱包材を通って突き抜けるための前記梱包材の内部を向いた突出部を備える請求項１から４のいずれか一項に記載の開封システム。
【請求項６】
少なくとも部分的に前記開封部材を覆う開封補助体を前記梱包材の外部においてさらに備える請求項１から５のいずれか一項に記載の開封システム。
【請求項７】
前記開封補助体が、前記開封部材を覆うように配置された請求項６に記載の開封システム。
【請求項８】
前記第２のポイントからの延長部の端部が、前記梱包材の外部に取り付けられた請求項１から７のいずれか一項に記載の開封システム。
【請求項９】
前記梱包材が積層された請求項１から８のいずれか一項に記載の開封システム。
【請求項１０】
−  内部と外部とを有する梱包材を提供するステップと、
−  前記梱包材の内部と外部とに配置され、前記梱包材を通って延びる、射出成形される開封部材を成形するステップと、
−  前記成形された開封部材を第１のポイントにおいて前記内部に取り付けるステップと、
−  前記成形された開封部材を第２のポイントにおいて前記外部に取り付けるステップと、
を含む、容器のための開封システムを製造する方法。
【請求項１１】
−  前記梱包材を貫通する開口を事前形成するステップをさらに含む請求項１０に記載の開封システムを製造する方法。
【請求項１２】
前記射出成形される開封部材が、前記開封部材が前記梱包材を通り抜ける第２のポイントから前記梱包材の外部に対して平行に取り付けられる請求項１０または１１に記載の開封システムを製造する方法。
【請求項１３】
−  前記梱包材の外部に配置され、前記開封部材を覆う開封補助体を成形するステップをさらに含む請求項１０から１３のいずれか一項に記載の開封システムを製造する方法。
【請求項１４】
前記梱包材を事前積層するステップをさらに含む請求項１０から１４のいずれか一項に記載の開封システムを製造する方法。
【請求項１５】
請求項１から９のいずれか一項に記載の開封システムを備える容器。
【発明の詳細な説明】
【技術分野】
【０００１】
本発明は、一般に、開封システムの分野に関する。より詳細には、本発明は、食品を内部に含む容器のための開封システムに関する。
【背景技術】
【０００２】
今日、容器と、この容器が、例えば、プラスチック、ガラス、梱包材など、どういった材料で作られているかとに応じて、多種多様な容器のために使用されるいくつかの開封システムがある。したがって、容器のために使用される材料に基づいて、様々な構成を有する様々な開封システムが使用される。開封システムまたは装置に関する一般的な課題は、それらが、漏れを防止するため容器に固定されると同時に、偶発的ではなく、開封しやすいものであることを必要とすることである。これは、漏れを防止し、偶発的な開封を防止するため、例えば、膜の内部破壊を使用したキャップによるなど、様々な方法で解決されてきた。しかし、今日知られている解決策は、漏れを防ぐ程度に密であるが、ほとんどの場合、開封するために大きな力を必要とする。これは、例えば、容器を開封することを困難にする、何らかの運動能力に障害がある一部の人々、または、筋肉の能力が低下した高齢者にとっては問題である。さらに、小さな梱包体は、小さな開封装置を備える必要があり、小さな開封装置は、子供が、例えば、その小さな開封装置を飲み込んでしまうという点で問題となり得る。
【０００３】
したがって、封止するだけでなく、開封しやすい、改善された開封システムの必要がある。
【発明の概要】
【発明が解決しようとする課題】
【０００４】
したがって、上記の問題を解決または軽減することが本発明の目的である。
【課題を解決するための手段】
【０００５】
第1の態様によると、容器のための開封システムは、外部と内部とを有する梱包材と、射出成形された開封部材とを備え、射出成形された開封部材は、第1のポイントにおいて梱包材の内部に取り付けられ、梱包材の内部から梱包材の外部へ延びる。また、射出成形された開封部材は、第2のポイントにおいて梱包材の外部に取り付けられ、容器を開封するために、第2のポイントから、ある距離にわたって延びる。
【０００６】
第2の態様によると、容器のための開封システムを製造する方法は、内部と外部とを有する梱包材を提供するステップを含む。本方法は、梱包材の内部と外部とに配置され、梱包材を通って延びる、射出成形される開封部材を成形するステップと、成形された開封部材を第1のポイントにおいて内部に取り付けるステップと、成形された開封部材を第2のポイントにおいて外部に取り付けるステップとをさらに含む。
【０００７】
本開示のさらなる例は、従属請求項において定義されており、本開示の第4の態様および後続の態様についての特徴は、変更すべきところは変更した、第1から第3の態様に関するものである。
【０００８】
本開示のいくつかの例は、任意の不適切な開封に対する、より堅牢な開封システムを提供する。
【０００９】
本開示のいくつかの例は、開封部材に作用する力が梱包材内へ伝達されることをもたらす。
【００１０】
本開示のいくつかの例は、第2のポイントにおいて取り付けられる開封部材の領域が、開封システムを開封するために要求される、および/または必要とされる開封力に応じて選択されることをもたらす。
【００１１】
本開示のいくつかの例は、開封システムを引き裂いて開封するために必要な力を決定する、梱包材の外部における、梱包材に取り付けられる分布を提供する。
【００１２】
本開示のいくつかの例は、同じ線に沿った開封力を提供する。
【００１３】
本開示のいくつかの例は、材料の一番弱いポイントに一致する直線を提供する。
【００１４】
本開示のいくつかの例は、例えば、45度、90度、135度、または180度の差で配置された第1のポイントと第2のポイントとを提供する。
【００１５】
本開示のいくつかの例は、所望の方向に力を生成する開封システムを提供する。
【００１６】
本開示のいくつかの例は、材料の一番弱いポイントに一致しない方向を提供する。
【００１７】
本開示のいくつかの例は、角度と選択された梱包材の構造との組み合わせに基づいて、所望の開封力が達成されるように、角度の選択を提供する。
【００１８】
本開示のいくつかの例は、様々な材料において単一の開封システムを提供する。
【００１９】
本開示のいくつかの例は、開封システムを単に傾けるだけで、同じ開封力を達成することをもたらす。
【００２０】
本開示のいくつかの例は、液圧射出成形を提供する。
【００２１】
本開示のいくつかの例は、再利用可能な開封システムを提供する。
【００２２】
本開示のいくつかの例は、開封システムよりも機械的に弱い梱包材を提供する。
【００２３】
本開示のいくつかの例は、梱包材を引き裂いて、せん断して、壊して、または別の方法で開封することが可能な開封部材を提供する。
【００２４】
本開示のいくつかの例は、包装材と開封システムのために使用される材料との間における機械的強度の差を提供する。
【００２５】
本開示のいくつかの例は、容器内部の任意の製品のための封止材としての積層体を提供する。
【００２６】
本開示のいくつかの例は、開封システムのより容易な開封を提供する。
【００２７】
本開示のいくつかの例は、より単純な射出成形工程を提供する。
【００２８】
本開示のいくつかの例は、何らかの梱包材が開封部材内に巻き込まれることなど、発生し得る課題をより少なくする。
【００２９】
本開示のいくつかの例は、梱包材にさらに強く取り付けられた開封部材を提供する。
【００３０】
本開示のいくつかの例は、開封部材が任意の力にさらに良好に耐え得ることをもたらす。
【００３１】
本開示のいくつかの例は、突出部を備える開封部材を提供する。
【００３２】
本開示のいくつかの例は、梱包材を通ってより簡単に突き抜ける開封部材を提供する。
【００３３】
本開示のいくつかの例は、よりきれいな切れ目または裂け目をもたらすように構成された開封部材を提供する。
【００３４】
本開示のいくつかの例は、開封部材からの力が開封部材における突出部に最初に局所集中することをもたらす。
【００３５】
本開示のいくつかの例は、開封部材の外周全体に沿った初期突き抜けを提供する。
【００３６】
本開示のいくつかの例は、開封部材に逆らう力として機能する開封補助体を提供する。
【００３７】
本開示のいくつかの例は、梱包材のあらゆる引き裂きに役立つ開封補助体を提供する。
【００３８】
本開示のいくつかの例は、開口のよりきれいな外観を提供する。
【００３９】
本開示のいくつかの例は、開封部材と開封補助体との間の改善された接続をもたらす。
【００４０】
本開示のいくつかの例は、開封システムとその堅牢性とをさらに強化することをもたらす。
【００４１】
本開示のいくつかの例は、開封の痕跡ともなる、破壊可能な接続部材を提供する。
【００４２】
本開示のいくつかの例は、開封の痕跡を提供する。
【００４３】
本開示のいくつかの例は、偶発的に、または別の方法で開封されるおそれがない開封部材を提供する。
【００４４】
本開示のいくつかの例は、開封システムを開封するために、より把持しやすく、把持状態を保ちやすい開封部材を提供する。
【００４５】
本発明の上記の目的、特徴、および利点、ならびに付加的な目的、特徴、および利点は、添付の図面を参照しながら、本発明の好ましい実施形態の以下の例示的で非限定的な詳細な説明を通して、より良く理解されるであろう。
【図面の簡単な説明】
【００４６】
【図１】梱包材を含まない支持構造体を備える容器のための開封システムの側面図である。
【図２】梱包材を含まない支持体を備える容器のための開封システムの底面図である。
【図３】開封システムの断面側面図である。
【図４】改善された安全機能を有する容器のための開封システムの上面図である。
【図５】開封システムの環状端部を有する容器のための開封システムの側面図である。
【図６】開封システムを製造する方法のフローチャートである。
【発明を実施するための形態】
【００４７】
図1は、外部と内部とを有する梱包材1を備える容器のための開封システム10の例を示す。開封システム10は、射出成形された開封部材2をさらに備え、射出成形された開封部材2は、第1のポイント20において梱包材1の内部に取り付けられ、梱包材1の内部から梱包材1の外部を通って延びる。さらに、射出成形された開封部材2は、第2のポイント30において梱包材1の外部に取り付けられ、容器を開封するために、第2のポイント30から、ある距離にわたって延びる。内部に取り付けられ、さらに、梱包材1を通って外に伸びて梱包材1の外部にも取り付けられた、射出成形された開封部材2を備えることにより、梱包材1は、開封部材2に作用する任意の力の大部分に耐える。これは、開封部材2に作用する任意の力が開封部材2の代わりに梱包材1内に伝達されるので、任意の不適切な開封に対して、開封システム10をより堅牢なものとする。
【００４８】
一例において、第2のポイント30は、開封システム10を開封するために要求される、および/または必要とされる開封力に応じて選択された領域を有する。一例において、領域
は、円形、正方形、長方形であり、および/または、不規則な形状を有する。開封システ
ム10を引き裂いて開封するために必要な力を決定するのは、第2のポイント30において射出された材料の量と、その材料が、梱包材1の外部においてどのように分布し、どのように梱包材1に取り付けられるかと、であるので、第2のポイント30の領域は、実際には任意の形状を有し得る。
【００４９】
例えば、図1と図3とに示される一例において、第1のポイント20と第2のポイント30とは、直線上に位置し、同じ線に沿った開封力を規定する。一例において、直線は、例えば、より合わせた繊維を含む材料の一番弱いポイントと一致し、直線は、繊維と平行である。他の例において、第1のポイント20と第2のポイント30とは、例えば、45度、90度、135度、または180度の差で配置される。これは、開封システム10が他の方向における力を規定することを可能にする。他の例において、他の方向は、材料の一番弱いポイントに一致しないが、一番弱いポイントに対して傾斜する。一例において、角度と選択された梱包材1の構造との組み合わせに基づいて、所望の開封力が達成されるように、角度が選択される。梱包材1の構造に対してこの角度をとることにより、開封システム10を単に傾けるだけで、様々な材料において単一の開封システム10を使用して、同じ開封力を達成することが可能である。
【００５０】
一例において、射出成形は、液圧射出成形により実行される。一例において、射出成形のために使用される材料は、熱可塑性および/または熱硬化性ポリマーである。一例において、使用される材料は、プラスチックである。
【００５１】
一例において、梱包材1は、紙、ボール紙、および/またはプラスチックからつくられる。梱包材1が板紙またはボール紙により作られることにより、開封システムは再利用可能な梱包体において使用され得る。他の例において、開封部材2が梱包材1を引き裂いて、せん断して、壊して、または別の方法で開封することができるように、使用される梱包材1は開封システム10の場合より機械的に弱いことしか必要としないので、他の種類の材料が使用される。したがって、包装材1と開封システム10のために使用される材料との間における機械的強度の差が必要である。一例において、梱包材1は、積層15とされる。一例において、梱包材1は、事前積層15、すなわち開封システム10が適用される前に積層15とされる。
【００５２】
一例において、梱包材1は、梱包材1を貫通する事前形成された開口を備える。梱包材1内に事前形成された開口を含むことにより、例えば、開封部材2が梱包材1を内部から外部に突き抜けるとき、何らかの梱包材1が開封部材2に巻き込まれるという危険性が排除されるので、開封システム10の射出成形工程は、より単純となり、発生し得る課題がより少なくなる。この巻き込みは、開封部材2を梱包材1より弱くなるように弱め得る。したがって、開封部材2は、梱包材1が開封される前に壊れる可能性があり得る。梱包材1が積層15とされ、梱包材1を貫通する、事前形成された開口を備える場合、積層体15は、積層15体の構造と機能とを保持し、さらに開封部材2と共に容器内部の任意の製品に対する封止材として機能する。積層体が存在しない場合、事前形成された開口が、開封部材2により充填される。
【００５３】
例えば、図1に示される一例において、射出成形された開封部材2は、開封部材が梱包材1の内部へと通り抜ける第2のポイント30から、梱包材1の外部に対して平行に取り付けられる。開封部材2が梱包材1に取り付けられて、梱包材1と平行に延びることにより、開封部材2は、梱包材1にさらに強く取り付けられ、任意の力にさらに良好に耐える。一例において、開封部材2は、例えば、図2に示されるように、梱包材1の内部に対して平行に取り付けられる。一例において、開封部材2は、梱包材1の内部と外部との両方に対して平行に延び、梱包材1の内部と外部との両方に取り付けられる。
【００５４】
一例において、射出成形された開封部材2は、梱包材1を通って突き抜けるための梱包材1の内部を向いた突出部を備える。突出部を備える開封部材2を有することにより、開封部材2からの力が突出部に、したがって、局所的に梱包材1に最初に局所集中されるので、開封部材2は、よりきれいな切れ目または裂け目を伴って、梱包材1を通ってより簡単に突き抜ける。一例において、突出部は、開封部材2の鋭利な縁部であり、開封時に開封部材2が開封部材2の外周全体に沿って最初に突き抜けるように、梱包材1を向いて開封部材2の周囲全体に延びる。
【００５５】
例えば、図1に示される一例において、開封システム10は、少なくとも部分的に開封部材2を覆う開封補助体8をさらに備える。梱包材1の外部において少なくとも部分的に開封部材を覆う開封補助体8を有することにより、開封補助体8は、容器を開封するために使用されるとき、開封部材2に逆らう力として機能し、開封システム10を開封することをさらに容易にする。さらに、開封補助体8は、開口のよりきれいな外観が形成されるように、梱包材1のあらゆる引き裂きに役立つ。一例において、開封補助体8は、開封部材を覆うように配置される。一例において、開封部材2は、開封補助体8に対して接続部材により破壊可能に取り付けられる。支持構造体8が開封部材2に取り付けられるようにすることにより、指示構造体8と開封部材2との間の接続部材が、開封システム10をさらに強くし、開封システム10の堅牢性を高める。一例において、破壊可能な接続部材は、開封の痕跡ともなる。一例において、2つ以上の接続部材が、開封部材2を開封補助体8に接続する。
【００５６】
図4に示される一例において、第2のポイント30からの開封部材2の延長部の端部40は、梱包材1の外部に取り付けられる。梱包材1に取り付けられた延長部の端部40を有することにより、開封システム10は、開封の痕跡を備える。さらに、開封部材2は、何かが端部40に突き刺さることにより、偶発的に、または別の方法で開封されるおそれがない。一例において、端部40は、図4に示されるように球形である。環状である波状面を有するものなど、端部40の他の例が、例えば、図1と図3と図5とに示される、例えば、端部40における波状面を有することにより、端部40は、より把持しやすく、開封システム10を開封するための把持状態を保ちやすい。
【００５７】
図6に示される一例において、内部と外部とを有する梱包材1を提供するステップ510を含む、容器のための開封システム10を製造する方法が開示される。本方法は、梱包材1の内部と外部とに配置され、梱包材1を通って延びる、射出成形された開封部材2を成形するステップ520と、成形された開封部材2を第1のポイント20において内部に取り付けるステップ530と、成形された開封部材2を第2のポイント30において外部に取り付けるステップ540とをさらに含む。
【００５８】
一例において、本方法は、梱包材1を貫通する開口を事前形成するステップをさらに含む。一例において、梱包材1は、事前形成される開口が形成された後に積層される。
【００５９】
一例において、射出成形された開封部材2は、開封部材2が梱包材1を通り抜ける第2のポイント30から、梱包材1の外部に対して平行に取り付けられる。
【００６０】
一例において、本方法は、梱包材1の外部に配置され、少なくとも部分的に開封部材2を覆う開封補助体8を成形するステップをさらに含む。
【００６１】
一例において、本方法は、梱包材1の外部に配置され、開封部材2を覆う開封補助体8を成形するステップをさらに含む。
【００６２】
食品梱包体を参照しながら、上記の説明がなされてきたが、一般的な原理が他の梱包体にも同様に適用可能であることが、容易に理解されるべきである。また、上記は、梱包材、事前積層された梱包材に関して論じられてきたが、上記の原理は、例えば、酸素遮断を確保すること、遮光すること、または他の一般的な材料の処理といった、他の種類の処理を有する梱包材に対しても有効であることが、当業者には明らかである。
【００６３】
さらに、本発明は、主に、いくつかの実施形態を参照しながら説明されてきた。しかし、当業者により容易に理解されるように、上記に開示された実施形態以外の他の実施形態が、添付の特許請求の範囲により定義されるような、本発明の範囲内で同様に可能である。
【符号の説明】
【００６４】
1  梱包材
2  開封部材
8  開封補助体
10  開封システム
20  第1のポイント
30  第2のポイント
40  端部
【図１】
2018087042.tif 000003
【図２】
2018087042.tif 000004
【図３】
2018087042.tif 000005
【図４】
2018087042.tif 000006
【図５】
2018087042.tif 000007
【図６】
2018087042.tif 000008
【手続補正書】
【提出日】平成30年2月28日(2018.2.28)
【手続補正１】
【補正対象書類名】特許請求の範囲
【補正対象項目名】全文
【補正方法】変更
【補正の内容】
【特許請求の範囲】
【請求項１】
表面と裏面とを有する梱包材と、
第１のポイントにおいて前記梱包材の裏面に取り付けられ、前記梱包材の裏面から前記梱包材の外部へ延びる開封部材と、
前記梱包材の表面に取り付けられ、少なくとも部分的に前記開封部材を覆う開封補助体と、を備え、
前記開封部材が、第２のポイントにおいて前記梱包材の表面に取り付けられ、かつ前記開封補助体に対して破壊可能に取り付けられている、
容器のための開封システム。
【請求項２】
前記梱包材（１）が、紙、ボール紙、および／またはプラスチックからつくられた請求
項１に記載の開封システム。
【請求項３】
前記梱包材が、前記梱包材を貫通する事前形成された開口を備える請求項１または２に
記載の開封システム。
【請求項４】
前記開封部材は、前記開封部材が前記梱包材の裏面へと通り抜ける第２のポイントから前記梱包材の表面に対して平行に取り付けられる請求項１から３のいずれか一項に記載の開封システム。
【請求項５】
前記開封部材が、前記梱包材を通って突き抜けるための前記梱包材の裏面を向いた突出部を備える請求項１から４のいずれか一項に記載の開封システム。
【請求項６】
前記開封部材の端部は派状面を有している、請求項１から５のいずれか一項に記載の開封システム。
【請求項７】
前記開封部材と前記開封補助体の間に接続部材を有する、請求項１から５のいずれか一項に記載の開封システム。
【請求項８】
表面と裏面とを有する梱包材と、
第１のポイントにおいて前記梱包材の裏面に取り付けられ、前記梱包材の裏面から前記梱包材の外部へ延びる開封部材と、
前記梱包材の表面に取り付けられ、少なくとも部分的に前記開封部材を覆う開封補助体と、を備え、
前記開封部材が、第２のポイントにおいて前記梱包材の表面に取り付けられ、かつ前記開封補助体に対して破壊可能に取り付けられている、
容器。
【手続補正２】
【補正対象書類名】明細書
【補正対象項目名】００５２
【補正方法】変更
【補正の内容】
【００５２】
一例において、梱包材1は、梱包材1を貫通する事前形成された開口を備える。梱包材1内に事前形成された開口を含むことにより、例えば、開封部材2が梱包材1を内部から外部に突き抜けるとき、何らかの梱包材1が開封部材2に巻き込まれるという危険性が排除されるので、開封システム10の射出成形工程は、より単純となり、発生し得る課題がより少なくなる。この巻き込みは、開封部材2を梱包材1より弱くなるように弱め得る。したがって、開封部材2は、梱包材1が開封される前に壊れる可能性があり得る。梱包材1が積層15とされ、梱包材1を貫通する、事前形成された開口を備える場合、積層15は、積層15の構造と機能とを保持し、さらに開封部材2と共に容器内部の任意の製品に対する封止材として機能する。積層体が存在しない場合、事前形成された開口が、開封部材2により充填される。
【手続補正３】
【補正対象書類名】明細書
【補正対象項目名】００５５
【補正方法】変更
【補正の内容】
【００５５】
例えば、図1に示される一例において、開封システム10は、少なくとも部分的に開封部材2を覆う開封補助体8をさらに備える。梱包材1の外部において少なくとも部分的に開封部材を覆う開封補助体8を有することにより、開封補助体8は、容器を開封するために使用されるとき、開封部材2に逆らう力として機能し、開封システム10を開封することをさらに容易にする。さらに、開封補助体8は、開口のよりきれいな外観が形成されるように、梱包材1のあらゆる引き裂きに役立つ。一例において、開封補助体8は、開封部材を覆うように配置される。一例において、開封部材2は、開封補助体8に対して接続部材により破壊可能に取り付けられる。開封補助体8が開封部材2に取り付けられるようにすることにより、開封補助体8と開封部材2との間の接続部材が、開封システム10をさらに強くし、開封システム10の堅牢性を高める。一例において、破壊可能な接続部材は、開封の痕跡ともなる。一例において、2つ以上の接続部材が、開封部材2を開封補助体8に接続する。
【外国語明細書】
2018087042000001.pdf